(57)【要約】【課題】  ロール式収納網戸の網シートを引出す操作杆の作動を円滑にする。【解決手段】  操作杆３の端部に案内枠内面８に対向する肩部１３を形成して、この肩部にブレーキシュー１４を操作杆の長さ方向に移動可能に装着し、他方、操作杆の両端部に操作杆と平行なねじ杆を回動可能に埋設し、その一端に摘み１６を装着してその一部を操作杆３の内面から室内側に突出させ、ねじ杆の他端部をブレーキシューに形成した雌ねじ部に螺合させ、摘み１６を回すことによりブレーキシュー１４と案内面８との隙間、又は干渉を解消する。【選択図】  図４
2007046266.tif 000002
【特許請求の範囲】
【請求項１】
ばねに装置により網シートを内部に巻き取って収納する収納枠と、この収納枠と平行な突き当て枠と、これら収納枠及び突き当て枠の端部を相互に連結する一対の案内枠によって矩形の窓枠を構成し、網シートの外端に収納枠と平行な操作杆を装着してなるものにおいて、一対の案内枠の相互に対向する内面にその長さ方向に沿って案内スリットを形成し、この案内スリットに作動杆の両端を係合させて作動杆及び網シートの窓枠見込み方向の動きを拘束し、一方、操作杆の端部に案内枠内面に対向する肩部を形成して、この肩部にブレーキシューを操作杆の長さ方向に移動可能に装着し、他方、操作杆の両端部に操作杆と平行なねじ杆を回動可能に埋設し、その一端に摘みを装着してその一部を操作杆の内面から室内側に突出させ、ねじ杆の他端部をブレーキシューに形成した雌ねじ部に螺合させたことを特徴とするロール式収納網戸。
【発明の詳細な説明】
【技術分野】
【０００１】
この発明は、ロール式収納網戸（以下単に収納網戸という）に係り、特に、網シートを出し入れする操作杆の作動を円滑にした収納網戸に関する。
【背景技術】
【０００２】
図１に示すように、また、後記特許文献１乃至３に記載されているように、収納枠１にばね装置によって巻き取られている網シート２を、必要に応じて、その先端に装着された操作杆３を介して引出し、窓枠を選択的に網戸にする所謂収納網戸は公知である。
【特許文献１】特開平０８−３０３１５８号公報
【特許文献２】特開平１０−１５３０６６号公報
【特許文献３】特開平１０−１５３０６８号公報
【発明の開示】
【発明が解決しようとする課題】
【０００３】
通常の収納網戸は、操作杆３の長さに比してその幅、すなわち案内方向の摺接寸法が小さいので、機構学で謂うところの所謂ナローガイドになっておらず、操作杆３を移動させるときの動きが円滑ではなく、ガタピシする。
【０００４】
これは、操作杆３の上下端とこれと摺接する上下枠との間に隙間が有ると特にその傾向が大である、等その作動の円滑性について未だ改良の余地がある。
【０００５】
そこで、この発明は、網シートを出し入れする操作杆の作動を円滑にした収納網戸を提供することを目的としている。
【課題を解決するための手段】
【０００６】
上記の目的を達成するため、請求項１に記載の発明は、ばねに装置により網シートを内部に巻き取って収納する収納枠と、この収納枠と平行な突き当て枠と、これら収納枠及び突き当て枠の端部を相互に連結する一対の案内枠によって矩形の窓枠を構成し、網シートの外端に収納枠と平行な操作杆を装着してなるものにおいて、一対の案内枠の相互に対向する内面にその長さ方向に沿って案内スリットを形成し、この案内スリットに作動杆の両端を係合させて作動杆及び網シートの窓枠見込み方向の動きを拘束し、一方、操作杆の端部に案内枠内面に対向する肩部を形成して、この肩部にブレーキシューを操作杆の長さ方向に移動可能に装着し、他方、操作杆の両端部に操作杆と平行なねじ杆を回動可能に埋設し、その一端に摘みを装着してその一部を操作杆の内面から室内側に突出させ、ねじ杆の他端部をブレーキシューに形成した雌ねじ部に螺合させたことを特徴とする。
【発明の効果】
【０００７】
上記のように構成された請求項１に記載の発明による収納網戸は、製造誤差や経年変化等に起因するブレーキシューと案内枠内面との間の隙間、或いは逆方向の干渉を、操作杆の端部に突出する摘みを回すことにより最適量に調整できるので、操作杆の作動を円滑にすることができる、という所期の効果を奏する。
【発明を実施するための最良の形態】
【０００８】
操作杆の両端に案内枠内面を臨む肩部を形成し、この肩部に出没可能に装着したブレーキシューの一を調整可能にする、という簡単な構成で、収納網戸の作動を円滑にすることができた。
【実施例１】
【０００９】
以下、この発明の実施例を図面を参照して説明する。
図１において符号１は収納枠を、符号４は突き当て枠を、符号５は一対の案内枠の夫々を示し、これら収納枠１、突き当て枠４及び案内枠５、５の両端を夫々連結することにより矩形の窓枠６を構成する。
【００１０】
なお、図示の実施例ではこの窓枠は横引きの収納網戸とし、したがって収納枠１及び突き当て枠４は鉛直になり、案内枠５、５は水平になる。
【００１１】
また、これらの枠を相互に連結するには、例えば収納枠１及び突き当て枠４の両端に連結片７、７を突設し、連結片７を案内枠５の開口に挿入した後例えばねじ止めする。
【００１２】
収納枠１の構造については、例えば前記特許文献２、３等に記載されていて公知であるから、更に詳細な説明は省略する。
【００１３】
一方、図１及び図２に示すように、案内枠５、５の相互に対向する内面８の幅方向における中央に、案内スリット９を案内枠の長さ方向に沿って形成する。
【００１４】
一方、図１乃至図３に示すように、操作杆３の両端に第１及び第２挟着ブロック１１、１２を装着し、これらの間に網シートを挟み込むようにして（図２参照）、操作杆３を網シート２の外端に装着する。
【００１５】
また、操作杆３の両端を断面Ｔ字形に成形し、このＴ字を案内杆５の案内スリットから内部に挿入する態様で、操作杆３の両端を案内スリット９に係合させ、以て作動杆３及び網シート２の窓枠見付け方向（図２で左右方向）の動きを拘束する。
【００１６】
一方、図３に示すように、操作杆３の端部に案内枠内面８に対向する肩部１３を形成し、この肩部１３に傾斜面を有するブレーキシュー１４を上下方向に移動可能に案内して装着する。
【００１７】
他方、図２に示すように、操作杆３の両端部内面付近に、六角形の頭部を有するボルト１５を、図２においては頭部を下側にして回動可能に埋設し、その一端（下端）に六角穴を有する摘み１６を装着する。
【００１８】
図示の実施例における摘み１６は、断面六角形の凹陥部を有するカップ状の部材で、この凹陥部にボルトの頭部を収納するようにしてボルト１６の一端に一体的に装着されている。
【００１９】
また、図示の実施例における摘み１６の外周面にはローレットが刻設されており（図４参照）、その一部が操作杆３の内面から室内側に少し突出している。
【００２０】
更にまた、図２に示すように、上記ブレーキシュー１４にはナット１７が一体的に結合されており、このナット１７に上記ボルト１５の他端部が螺合している。
【００２１】
また、図２に示すように、第１挟着ブロック１１の下端段部とブレーキシュー１４との間には圧縮コイルばねとしての回り止めばね１８が弾装されていて、この回り止めばね１８の弾力によってブレーキシュー１４は図２で上方に付勢されている。
【００２２】
そのため、ナット１７は常時ボルトのねじ山の一方に弾接するので、ボルト１５の回り止めが施されることになる。
【００２３】
また、図５に示すように、第１挟着ブロック１１の前端部（突き当てブロックに対抗する部分）にマグネット１９が埋設されており、このマグネット１９を上下から挟むヨーク板２１、２１の端部は第１挟着ブロック１１の前端面から少し突出している（図３参照）。
【００２４】
上記のように構成されたこの発明の一実施例による収納網戸は、操作杆３の両端部に設けられた摘み１６を手指で回すことによりブレーキシュー１４の上下方向の位置を変えることができるから、ブレーキシューと案内枠の内面８との隙間を最適な値に設定し、円滑に操作杆を手で引くことができる。
【００２５】
なお、網シート２を一杯に引出したときヨーク板２１、２１の前端縁が突き当て枠４の内面に当接するようにし、この突き当て枠４の材質を磁性材質とするか、或いはヨーク板２１が当接する部分に磁性板を装着すれば、網シート２及びこれと一体の操作杆３を突き当て枠４に磁気的に固着することができる。
【図面の簡単な説明】
【００２６】
【図１】この発明の一実施例による収納網戸の構成部材を展開して示す外観斜視図。
【図２】操作杆の端部の一部断面前面図。
【図３】操作杆の端部の外観斜視図。
【図４】操作杆の端部と案内枠との係合の態様を示す線図。
【図５】図２のＡ矢視図。
【符号の説明】
【００２７】
１  収納枠
２  網シート
３  操作杆
４  突き当て枠
５  案内枠
７  連結片
８  内面
９  スリット
１１  第１挟着ブロック
１２  第２挟着ブロック
１３  肩部
１４  ブレーキシュー
１５  ボルト
１６  摘み
１７  ナット
１８  回り止めばね
１９  マグネット
２１  ヨーク板
【図１】
2007046266.tif 000003
【図２】
2007046266.tif 000004
【図３】
2007046266.tif 000005
【図４】
2007046266.tif 000006
【図５】
2007046266.tif 000007